(57)【要約】【課題】ユーザが、一時的に使用する画像読取装置をセキュリティを高めて使用することができる情報処理装置及びネットワークシステムを提供する。【解決手段】スキャナ装置７４は、ゲスト用ＰＩＮを受信すると（Ｓ１１１）、ｔｏｋｅｎ発行依頼をセンターサーバ２に送信する（Ｓ１１２）。センターサーバ２は、スキャナ装置７４をゲスト利用するためのｔｏｋｅｎを発行する（Ｓ７７）。センターサーバ２は、ｔｏｋｅｎをスキャナ装置７４に送信する（Ｓ７８）。スキャナ装置７４では、ｔｏｋｅｎを登録する（Ｓ１１３）。スキャナ装置７４による読取の実行後に、スキャナ装置７４は、読取った画像データをセンターサーバ２に送信し（Ｓ１１４）、読取完了通知をセンターサーバ２に送信する（Ｓ１１５）。その後、センターサーバ２ではｔｏｋｅｎが消去される（Ｓ８４）。スキャナ装置７４でも、ｔｏｋｅｎが消去される（Ｓ１１６）。【選択図】図１６
2014192684.tif 000002
【特許請求の範囲】
【請求項１】
使用者を識別するユーザ識別情報と、画像読取装置を識別する装置識別情報とが対応付けられたリストを記憶する記憶手段と、
操作装置により利用されるサービスを識別するサービス識別情報と、前記サービスの使用者を示すユーザ識別情報と、前記操作装置が接続する無線通信網に接続された前記画像読取装置を示す装置識別情報と、読み取り動作を実行させる命令である操作指令と、を受信する第１受信手段と、
受信したユーザ識別情報と、前記記憶手段に記憶されたリストに基づいて、前記第１受信手段が受信した装置識別情報が示す前記画像読取装置が正規使用者として利用可能な前記画像読取装置か否かを判断する第１判断手段と、
前記第１判断手段が、正規使用者として利用可能な前記画像読取装置でないと判断した場合、受信した前記装置識別情報が示す前記画像読取装置に、画像の読み取り動作を１命令分許可する許可情報を送信する第１送信手段と、
送信された前記許可情報と、前記許可情報の送信先の装置識別情報とを対応付けて前記記憶手段に記憶させる第１制御手段と、
前記許可情報を送信した前記画像読取装置に、受信した前記操作指令に基づいて画像の読み取り動作を指令する読取指令を送信する第２送信手段と、
前記読取指令を送信した前記画像読取装置から画像データの読み取りの完了通知を受信する第２受信手段と、
前記画像読取装置により読み取られた画像データを受信する第３受信手段と、
前記画像データ受信手段が受信した画像データを前記記憶手段に記憶させる第２制御手段と、
受信した前記サービス識別情報に基づいて、前記記憶手段に記憶された前記画像データを前記サービス提供装置に取得可能にさせる第１設定手段と、
前記完了通知を受信した後に前記記憶手段に記憶された前記許可情報を消去する消去手段と
を備えたことを特徴とする情報処理装置。
【請求項２】
前記操作装置は、前記操作装置が接続する無線通信網に接続した前記画像読取装置に対して、Ｂｒｏａｄｃａｓｔ通信を一斉に送信して、前記操作装置にて利用可能な画像読取装置の有無を判断する第２判断手段を備え、
前記第１受信手段は、前記第２判断手段により、前記操作装置が接続する無線通信網に接続した画像読取装置が、前記操作装置にて利用可能であると判断された画像読取装置の装置識別情報を受信し、
前記第１判断手段は、受信した装置識別情報と、前記記憶手段に記憶されたリストに基づいて、前記第１受信手段が受信した装置識別情報が示す前記画像読取装置が正規使用者として利用可能な前記画像読取装置か否かを判断し、
前記情報処理装置は、さらに、
前記第１判断手段が正規の使用者として利用可能と判断した前記画像読取装置と正規の使用者でないと判断した前記画像読取装置との一覧のリスト作成する作成手段と、
前記作成手段が作成した前記リストを前記操作装置に送信する第３送信手段とを備えたことを特徴とする請求項１に記載の情報処理装置。
【請求項３】
前記情報処理装置は、さらに、
前記第１判断手段が正規の使用者として利用可能な前記画像読取装置であると判断した前記画像読取装置の装置識別情報に対して、
前記操作装置からの要求に応じて、前記情報処理装置を経由して前記画像読取装置から前記サービス提供装置への画像データの送信と、前記画像読取装置からの要求に応じて前記画像読取装置から前記サービス提供装置への画像データの送信とを許可することを設定し、
前記第二判断手段が正規の使用者として利用可能な前記画像読取装置であると判断しなかった前記画像読取装置の装置識別情報に対して、
前記操作装置からの要求に応じて、前記情報処理装置を経由して前記画像読取装置から前記サービス提供装置への画像データの送信を許可し、前記画像読取装置からの要求に応じて前記画像読取装置から前記サービス提供装置への画像データの送信を許可しないことを設定する第２設定手段を備えることを特徴とする請求項２又は３に記載の情報処理装置。
【請求項４】
前記情報処理装置は、
前記第１送信手段は、前記第１判断手段が、正規使用者として利用可能な前記画像読取装置でないと判断した場合、受信した前記装置識別情報が示す前記画像読取装置にｐｉｎを送信する第４送信手段と、
前記ｐｉｎを送った前記画像読取装置から、前記許可情報としてのｔｏｋｅｎの発行依頼を受信する第４受信手段と、をさらに備え、
前記第１送信手段は、前記第４受信手段が発行依頼を受信した場合に、前記許可情報として、ｔｏｋｅｎを送信し、
前記第１制御手段は、前記記憶手段に、前記許可情報として前記ｔｏｋｅｎと、前記装置識別情報とを対応付けて記憶する、
ことを特徴とする請求項１〜３の何れかに記載の情報処理装置。
【請求項５】
情報処理装置と、画像読取装置とが通信可能なネットワークシステムにおいて、
前記情報処理装置は、
使用者を識別するユーザ識別情報と、画像読取装置を識別する装置識別情報とが対応付けられたリストを記憶する記憶手段と、
操作装置により利用されるサービスを識別するサービス識別情報と、前記サービスの使用者を示すユーザ識別情報と、前記操作装置が接続する無線通信網に接続された前記画像読取装置を示す装置識別情報を指定して読み取り動作を実行させる命令である操作指令と、を受信する第１受信手段と、
受信したユーザ識別情報と、前記記憶手段に記憶されたリストに基づいて、前記第１受信手段が受信した装置識別情報が示す前記画像読取装置が正規使用者として利用可能な前記画像読取装置か否かを判断する第１判断手段と、
前記第１判断手段が、正規使用者として利用可能な前記画像読取装置でないと判断した場合、受信した前記装置識別情報が示す前記画像読取装置に、画像の取得動作を１命令分許可する許可情報を送信する第１送信手段と、
送信された前記許可情報と、前記許可情報の送信先の装置識別情報とを対応付けて前記記憶手段に記憶させる第１制御手段と、
前記許可情報を送信した前記画像読取装置に、受信した前記操作指令に基づいて画像の取得動作を指令する読取指令を送信する第２送信手段と、
前記読取指令を送信した前記画像読取装置から画像データの読み取りの完了通知を受信する第２受信手段と、
前記画像読取装置により読み取られた画像データを受信する第３受信手段と、
前記画像データ受信手段が受信した画像データを前記記憶手段に記憶させる第２制御手段と、
受信した前記サービス識別情報に基づいて、前記記憶手段に記憶された前記画像データを前記サービス提供装置に取得可能にさせる設定手段と、
前記完了通知を受信した後に前記記憶手段に記憶された前記許可情報を消去する消去手段と、
を備え、
前記画像読取装置は、
前記許可情報を受信する装置受信手段と、
受信した前記許可情報を、装置記憶手段に記憶させる装置制御手段と、
読取動作を実行することで画像データ取得する画像データ取得手段と、
前記画像データ取得手段によって取得された前記画像データを前記情報処理装置に送信する装置送信手段と、
前記画像データの送信後に前記記憶手段に記憶された前記許可情報を消去する装置消去手段と
を備えることを特徴とするネットワークシステム。
【発明の詳細な説明】
【技術分野】
【０００１】
本発明は、Ｗｅｂページで利用可能なサービスを提供する装置にデータを取得可能にする情報処理装置及びネットワークシステムに関する。
【背景技術】
【０００２】
近年、Ｗｅｂページで利用可能な様々なサービスへの各種データのアップロードが可能になっている。例えば、特許文献１に記載の読取画像転送システムは、画像読取装置に接続された画像転送装置と、ウェブログサーバとがネットワークを介して接続されている。画像転送装置は、画像読取装置を制御して原稿から画像情報を読み取り、ウェブログサーバに転送する。ウェブログサーバは、転送された画像情報に基づく画像が掲載されたウェブログサイトを提供する。
【先行技術文献】
【特許文献】
【０００３】
【特許文献１】特開２００８−２３６７０２号公報
【発明の概要】
【発明が解決しようとする課題】
【０００４】
各種データをアップロードする技術の一例として、以下の例が考えられる。すなわち、サービス提供装置が、例えば、アイコンが表示されたＷｅｂページを携帯端末へ提供する。そして、携帯端末によりアイコンが操作されることに応じて、画像読取装置が読み取った画像情報をサービス提供装置が提供するＷｅｂサイトへ自動でアップロードする。そして、携帯端末は、サービス提供装置により提供されるＷｅｂページにより、アップロードされた画像情報を見ることができる。しかしながら、いつも使用している画像読取装置が、携帯端末のユーザの近辺に存在していない場合には、画像情報のウェブログサーバへのアップロードができない。この場合には、ユーザは画像転送装置に登録していない画像読取装置を画像転送装置に登録して使用することになる。この方法の場合、一度、画像読取装置を画像転送装置に登録することが考えられる。この場合、一度登録された画像読み取り装置は、継続的に使用可能になるため、セキュリティ上の問題点がある。
【０００５】
本発明は、以上のことを鑑みてなされたものである。本発明の目的は、ユーザが、Ｗｅｂサービスに画像データをアップロードする場合に、一時的に使用する画像読取装置をセキュリティを高めて使用することができる情報処理装置及びネットワークシステムを提供することである。
【課題を解決するための手段】
【０００６】
本発明の第１の態様に係る情報処理装置は、使用者を識別するユーザ識別情報と、画像読取装置を識別する装置識別情報とが対応付けられたリストを記憶する記憶手段と、操作装置により利用されるサービスを識別するサービス識別情報と、前記サービスの使用者を示すユーザ識別情報と、前記操作装置が接続する無線通信網に接続された前記画像読取装置を示す装置識別情報と、読み取り動作を実行させる命令である操作指令と、を受信する第１受信手段と、受信したユーザ識別情報と、前記記憶手段に記憶されたリストに基づいて、前記第１受信手段が受信した装置識別情報が示す前記画像読取装置が正規使用者として利用可能な前記画像読取装置か否かを判断する第１判断手段と、前記第１判断手段が、正規使用者として利用可能な前記画像読取装置でないと判断した場合、受信した前記装置識別情報が示す前記画像読取装置に、画像の読み取り動作を１命令分許可する許可情報を送信する第１送信手段と、送信された前記許可情報と、前記許可情報の送信先の装置識別情報とを対応付けて前記記憶手段に記憶させる第１制御手段と、前記許可情報を送信した前記画像読取装置に、受信した前記操作指令に基づいて画像の読み取り動作を指令する読取指令を送信する第２送信手段と、前記読取指令を送信した前記画像読取装置から画像データの読み取りの完了通知を受信する第２受信手段と、前記画像読取装置により読み取られた画像データを受信する第３受信手段と、前記画像データ受信手段が受信した画像データを前記記憶手段に記憶させる第２制御手段と、受信した前記サービス識別情報に基づいて、前記記憶手段に記憶された前記画像データを前記サービス提供装置に取得可能にさせる第１設定手段と、前記完了通知を受信した後に前記記憶手段に記憶された前記許可情報を消去する消去手段とを備えている。従って、使用者が、Ｗｅｂサービスに画像データをアップロードする場合に、いつも使用している画像読取装置が、操作装置の近辺に存在していない場合でも、操作装置の近辺に存在している画像読取装置を１命令分使用することができる。また、許可情報は１命令分の使用で消去されるため、継続的に画像読取装置が利用可能となることもない。従って、一時的に使用する画像読取装置をセキュリティを高めて使用することができる情報処理装置が実現できる。
【０００７】
前記情報処理装置において、前記操作装置は、前記操作装置が接続する無線通信網に接続した前記画像読取装置に対して、Ｂｒｏａｄｃａｓｔ通信を一斉に送信して、前記操作装置にて利用可能な画像読取装置の有無を判断する第２判断手段を備え、前記第１受信手段は、前記第２判断手段により、前記操作装置が接続する無線通信網に接続した画像読取装置が、前記操作装置にて利用可能であると判断された画像読取装置の装置識別情報を受信し、前記第１判断手段は、受信した装置識別情報と、前記記憶手段に記憶されたリストに基づいて、前記第１受信手段が受信した装置識別情報が示す前記画像読取装置が正規使用者として利用可能な前記画像読取装置か否かを判断し、前記情報処理装置は、さらに、前記第１判断手段が正規の使用者として利用可能と判断した前記画像読取装置と正規の使用者でないと判断した前記画像読取装置との一覧のリスト作成する作成手段と、前記作成手段が作成した前記リストを前記操作装置に送信する第３送信手段とを備えてもよい。この場合には、操作装置が接続する無線通信網に接続した前記画像読取装置をＢｒｏａｄｃａｓｔ通信により一斉に検索することができる。
【０００８】
前記情報処理装置は、さらに、前記第１判断手段が正規の使用者として利用可能な前記画像読取装置であると判断した前記画像読取装置の装置識別情報に対して、前記操作装置からの要求に応じて、前記情報処理装置を経由して前記画像読取装置から前記サービス提供装置への画像データの送信と、前記画像読取装置からの要求に応じて前記画像読取装置から前記サービス提供装置への画像データの送信とを許可することを設定し、前記第１判断手段が正規の使用者として利用可能な前記画像読取装置であると判断しなかった前記画像読取装置の装置識別情報に対して、前記操作装置からの要求に応じて、前記情報処理装置を経由して前記画像読取装置から前記サービス提供装置への画像データの送信を許可し、前記画像読取装置からの要求に応じて前記画像読取装置から前記サービス提供装置への画像データの送信を許可しないことを設定する第２設定手段を備えるようにしてもよい。この場合には、前記第１判断手段が正規の使用者として利用可能な前記画像読取装置であると判断しなかった前記画像読取装置には、前記情報処理装置を経由して前記画像読取装置から前記サービス提供装置への画像データの送信のみを可能にし、画像読取装置からサービス提供装置への直接の画像データの送信を可能にしない。従って、画像読取装置の機能を制限でき、画像読取装置からサービス提供装置へ直接、画像データが勝手に送れるというセキュリティ上の問題点も生じない。
【０００９】
前記情報処理装置は、前記第１送信手段は、前記第１判断手段が、正規使用者として利用可能な前記画像読取装置でないと判断した場合、受信した前記装置識別情報が示す前記画像読取装置にｐｉｎを送信する第４送信手段と、前記ｐｉｎを送った前記画像読取装置から、前記許可情報としてのｔｏｋｅｎの発行依頼を受信する第４受信手段と、をさらに備え、前記第１送信手段は、前記第４受信手段が発行依頼を受信した場合に、前記許可情報として、ｔｏｋｅｎを送信し、前記第１制御手段は、前記記憶手段に、前記許可情報として前記ｔｏｋｅｎと、前記装置識別情報とを対応付けて記憶するようにしてもよい。従って、使用者が、Ｗｅｂサービスに画像データをアップロードする場合に、いつも使用している画像読取装置が、操作装置の近辺に存在していない場合でも、操作装置の近辺に存在している画像読取装置をｔｏｋｅｎを用いて一時的に使用することができる。また、ｔｏｋｅｎは一回の使用で破棄されるため、継続的に画像読取装置が利用可能となることもない。従って、一時的に使用する画像読取装置をセキュリティを高めて使用することができる情報処理装置が実現できる。
【００１０】
本発明の第２の態様に係るネットワークシステムは、情報処理装置と、画像読取装置とが通信可能なネットワークシステムにおいて、前記情報処理装置は、使用者を識別するユーザ識別情報と、画像読取装置を識別する装置識別情報とが対応付けられたリストを記憶する記憶手段と、操作装置により利用されるサービスを識別するサービス識別情報と、前記サービスの使用者を示すユーザ識別情報と、前記操作装置が接続する無線通信網に接続された前記画像読取装置を示す装置識別情報を指定して読み取り動作を実行させる命令である操作指令と、を受信する第１受信手段と、受信したユーザ識別情報と、前記記憶手段に記憶されたリストに基づいて、前記第１受信手段が受信した装置識別情報が示す前記画像読取装置が正規使用者として利用可能な前記画像読取装置か否かを判断する第１判断手段と、前記第１判断手段が、正規使用者として利用可能な前記画像読取装置でないと判断した場合、受信した前記装置識別情報が示す前記画像読取装置に、画像の取得動作を１命令分許可する許可情報を送信する第１送信手段と、送信された前記許可情報と、前記許可情報の送信先の装置識別情報とを対応付けて前記記憶手段に記憶させる第１制御手段と、前記許可情報を送信した前記画像読取装置に、受信した前記操作指令に基づいて画像の取得動作を指令する読取指令を送信する第２送信手段と、前記読取指令を送信した前記画像読取装置から画像データの読み取りの完了通知を受信する第２受信手段と、前記画像読取装置により読み取られた画像データを受信する第３受信手段と、前記画像データ受信手段が受信した画像データを前記記憶手段に記憶させる第２制御手段と、受信した前記サービス識別情報に基づいて、前記記憶手段に記憶された前記画像データを前記サービス提供装置に取得可能にさせる設定手段と、前記完了通知を受信した後に前記記憶手段に記憶された前記許可情報を消去する消去手段とを備え、前記画像読取装置は、前記許可情報を受信する装置受信手段と、受信した前記許可情報を装置記憶手段に記憶させる装置制御手段と、読取動作を実行することで画像データ取得する画像データ取得手段と、前記画像データ取得手段によって取得された前記画像データを前記情報処理装置に送信する装置送信手段と、前記画像データの送信後に前記記憶手段に記憶された前記許可情報を消去する装置消去手段とを備えている。従って、使用者が、Ｗｅｂサービスに画像データをアップロードする場合に、いつも使用している画像読取装置が、操作装置の近辺に存在していない場合でも、操作装置の近辺に存在している画像読取装置を１命令分使用することができる。また、許可情報は１命令分の使用で破棄されるため、継続的に画像読取装置が利用可能となることもない。従って、一時的に使用する画像読取装置のセキュリティを高めて使用することができるネットワークシステムが実現できる。
【図面の簡単な説明】
【００１１】
【図１】ネットワークシステム１の概要構成図である。
【図２】ネットワークシステム１の処理動作を説明する説明図である。
【図３】センターサーバ２の電気的構成を示すブロック図である。
【図４】スキャナ装置７の電気的構成を示すブロック図である。
【図５】操作装置３の電気的構成を示すブロック図である。
【図６】スキャナデータテーブル８２のデータ構成図である。
【図７】サービス管理データテーブル８４のデータ構成図である。
【図８】事前処理のフローチャートである。
【図９】過去読取設定情報取得処理のフローチャートである。
【図１０】センターサーバ２のログイン処理のフローチャートである
【図１１】スキャナ装置の検索処理のフローチャートである。
【図１２】センターサーバ２のユーザ判定処理のフローチャートである。
【図１３】センターサーバ２の利用可能なスキャナ装置のソート処理のフローチャートである。
【図１４】利用可能スキャナ一覧データ８６のデータ構成図である。
【図１５】センターサーバ２のメイン処理のフローチャートである。
【図１６】センターサーバ２とスキャナ装置７４の処理を示すシーケンス図である。
【発明を実施するための形態】
【００１２】
［１．ネットワークシステム１の構成の概要］
以下、図面に沿って、本発明を適用した実施形態について説明する。図１を参照して、本実施形態のネットワークシステム１の構成を説明する。図１に示すように、ネットワークシステム１は、センターサーバ２、操作装置３、スキャナ装置７１，７２，７３，７４、ネットワークサービス４，５を含む。スキャナ装置７１、７２，７３，７４は、画像を読取可能な読取装置であれば良い。例えば、スキャナ機能を備えた印刷装置であっても良い。図１に示す例では、スキャナ装置７２に読取対象物である原稿８９が配置されている。ネットワーク６には、スキャナ装置７１，７２，７３，７４以外のスキャナ装置も接続されている。以下の説明では、スキャナ装置７１，７２，７３，７４を総称する場合、スキャナ装置７という。スキャナ装置７１，７２，７３，７４のシリアル番号は、各々、１２３００１，１２３００２，１２３００３，２３４００１であるとする。
【００１３】
ネットワークサービス４は、サービスサーバ４０を含む。また、ネットワークサービス５は、サービスサーバ５０を含む。サービスサーバ４０は、スキャナ装置７の製造元とは異なる会社のネットワークサービス４を提供する。また、サービスサーバ５０は、スキャナ装置７の製造元とは異なる会社であり、且つ、サービスサーバ４０の会社とも異なる会社のネットワークサービス５を提供する。サービスサーバ４０及びサービスサーバ５０は、例えば、サービスを提供するために使用されるＷｅｂサーバである。以下の説明では、サービスサーバ４０，５０を総称する場合、サービスサーバ１０という。また、ネットワーク６には、Ｗｉ−Ｆｉ規格による無線ＬＡＮの無線ルータ８も接続されている。
【００１４】
ネットワークサービス４は、ストレージサーバ４１及びストレージサーバ４２を含む。また、ネットワークサービス５は、ストレージサーバ５１及びストレージサーバ５２を含む。各ネットワークサービスに少なくとも１台ストレージサーバがあれば良い。また、ストレージサーバの代わりに、サービスサーバ４０又はサービスサーバ５０が、ネットワークサービスで利用するデータの記憶領域を備えても良い。この場合、ストレージサーバは不要となる。
【００１５】
操作装置３は、ネットワークサービス４及びネットワークサービス５により提供されるサービスを利用可能な端末である。具体的には、操作装置３は、サービスサーバ４０又はサービスサーバ５０から、Ｗｅｂページを取得し、ネットワークサービス４及びネットワークサービス５を利用する。そして、操作装置３は、ストレージサーバ４１，４２，５１，５２に記憶されるデータを利用する。操作装置３の一例としては、スマートフォンが利用できる。
【００１６】
操作装置３は、一般的なパーソナルコンピュータであっても良い。また、操作装置３は、スマートフォン等に代表される携帯可能な操作装置であっても良い。操作装置３は、情報処理が可能な装置であれば良い。なお、図１のセンターサーバ２、スキャナ装置７、操作装置３、サービスサーバ４０及びサービスサーバ５０は、互いにネットワーク６を介して通信可能である。また、操作装置３、スキャナ装置７１，７２，７３及び７４は、無線ルータ８にＷｉ−Ｆｉ規格による無線ＬＡＮの通信により接続している。また、スキャナ装置７は、パーソナルコンピュータ等の図示外の中継装置を介してネットワーク６に接続されてもよい。なお、Ｗｉ−Ｆｉ規格以外の無線通信が用いられても良い。
【００１７】
本実施の形態では、操作装置３により表示されるＷｅｂページのスキャン実行ボタンが操作されて、スキャナ装置７により読み取られた画像データが、センターサーバ２を経由してサービスサーバ４０、または、サービスサーバ４０のストレージサーバへアップロードされることを「第１の読取」と言う。また、または、スキャナ装置７を操作して指定されたサービスのサービスサーバ４０またはサービスサーバ４０のストレージサーバへ、スキャナ装置７により読み取られた画像データがアップロードされることを「第２の読取」と言う。なお、「第２の読取」により、画像データが、サービスサーバ４０またはサービスサーバ４０のストレージサーバへアップロードされる際に、センターサーバ２が経由されてアップロードされても良いし、センターサーバ２が経由されずにアップロードされても良い。
【００１８】
［２．第１の読取動作の概要］
図２を参照して、ネットワークシステム１の第１の読取動作を説明する。以下の説明では、ネットワークサービス５は、例えば、ドキュメントサービスを提供するとする。
【００１９】
まず、図２の矢印１１に示すように、まず、操作装置３は、サービスサーバ５０へアクセスする。このとき、操作装置３は、サービスサーバ５０にＷｅｂページの送信を要求する。そして、矢印１２に示すように、操作装置３は、サービスサーバ５０からＷｅｂページを取得する。取得されたＷｅｂページは、操作装置３により制御される表示部３６に表示される。なお、ネットワークサービス５を利用するために、操作装置３は、ユーザＩＤを用いてログイン処理が実行される必要がある。
【００２０】
スキャナ装置７は、原稿８９から読み取った画像データを、センターサーバ２へアップロードする。具体的には、操作装置３の表示部３６に表示されたＷｅｂページ内に表示されたスキャン実行ボタンが操作されると、操作装置３は、図２の矢印１３に示すように、スキャン実行ボタンが操作されたことを示す情報、及びユーザＩＤ等が、サービスサーバ５０に送信される。なお、ユーザＩＤは、ユーザを識別する情報である。サービスサーバ５０は、受信したユーザＩＤに対応する認証情報を特定する。具体的には、認証情報は、ｔｏｋｅｎである。ｔｏｋｅｎは、ネットワークサービス４又はネットワークサービス５を利用している操作装置３が、センターサーバ２にアクセスする権限があるか否かを示す情報である。
【００２１】
ここで、サービスサーバ１０から送信されるｔｏｋｅｎについて説明する。ｔｏｋｅｎは、センターサーバ２によって発行される。例えば、操作装置３からサービスサーバ１０へログインを要求した場合、又は、操作装置３に表示されたスキャン実行ボタンが操作された場合、サービスサーバ１０は、センターサーバ２に、トークンの申請を行う。センターサーバ２は、トークンの申請があった場合、操作装置３からのログイン処理を受け付ける。操作装置３は、ユーザにより入力されたユーザＩＤ等を受け付け、センターサーバ２へログイン要求を送信する。センターサーバ２は、操作装置３からのログイン要求に応じて、ログイン処理が完了すると、センターサーバ２は、ｔｏｋｅｎを発行する。センターサーバ２は、発行されたｔｏｋｅｎを、申請元のサービスサーバ１０へ送信する。サービスサーバ１０は、送信されたｔｏｋｅｎとユーザＩＤとを対応付けて所定の記憶領域に記憶する。サービスサーバ１０が記憶したｔｏｋｅｎの中から、サービスサーバ１０は、操作装置３から送信されたユーザＩＤを用いて、ｔｏｋｅｎを特定し、特定したｔｏｋｅｎをセンターサーバ２に送信する。
【００２２】
また、センターサーバ２は、ｔｏｋｅｎを発行した場合、ｔｏｋｅｎとユーザＩＤとを対応付けて、ＨＤＤ２２に記憶する。また、センターサーバ２は、後述する図６に示すスキャナデータテーブル８２において、機器ＩＤに対応付けられたｔｏｋｅｎを、発行したｔｏｋｅｎに更新する。なお、図６に示すスキャナデータテーブル８２には、ｔｏｋｅｎではなく、ユーザＩＤが機器ＩＤと対応付けられて登録されていてもよい。なお、機器ＩＤは、スキャナ装置７を識別するための情報である。
【００２３】
そして、矢印１４に示すように、サービスサーバ５０からセンターサーバ２に、読取指示が送信される。なお、読取指示と共に、後述するサービス識別情報とｔｏｋｅｎとが送信される。センターサーバ２は、読取指示を受信する。読取指示は、操作装置３によりスキャン実行ボタンが操作されたことに応じて、操作装置３が利用可能なスキャナ装置７に読取動作を実行させる指示の情報である。なお、操作装置３からセンターサーバ２へ向けて読取指示が送信される前に、センターサーバ２へアクセスするためのログイン処理が、操作装置３を用いて実行されても良い。
【００２４】
センターサーバ２は、読取指示を受信すると、同時に受信したサービス識別情報とｔｏｋｅｎからサービスサーバ５０のサービス及び当該ｔｏｋｅｎに対応したユーザＩＤを特定する。センターサーバ２は、ユーザＩＤに対応して登録されたスキャナ装置７の一覧が記載されたＷｅｂページを操作装置３へ送信する。
【００２５】
図２の矢印１５に示すように、作成されたＷｅｂページは操作装置３に送信され、操作装置３のブラウザにより表示部３６に表示される。操作装置３は、読取動作を実行させるスキャナ装置７を識別する機器ＩＤと、設定情報とを決定する。なお、設定情報は、スキャナ装置７に読取動作を実行させる際のパラメータである。例えば、設定情報は、解像度、色、サイズを含む。具体的には、「Ｐ００１」、「ｈｔｔｐ：／／ａａ」、「ドキュメント」、「３００ｄｐｉ以上、最大解像度」、「１枚目：カラー、２枚目以降：白黒」、「１枚目：Ａ４、２枚目以降：２枚見開き（Ａ３）」等が対応付けられている。そして、矢印１６に示すように、決定された機器ＩＤと設定情報とが、操作装置３からセンターサーバ２に送信される。
【００２６】
センターサーバ２は、後述するスキャナデータテーブル８２から機器ＩＤと対応づけられたＩＰアドレスを特定する。センターサーバ２は、この特定したＩＰアドレス使用してスキャナ装置７と通信を行い、スキャナ装置７とセッションを形成させる。センターサーバ２は、機器ＩＤからＩＰアドレスを特定することが可能となる為、矢印１７に示すように、センターサーバ２は、決定された機器ＩＤが示すスキャナ装置７に、決定された設定情報を送信する。スキャナ装置７は、決定された設定情報による読取設定で原稿８９の読取動作を行い、画像データを作成する。矢印１８に示すように、スキャナ装置７は、画像データをセンターサーバ２にアップロードする。センターサーバ２では、受信された画像データが、後述するＨＤＤ２２のスキャンデータ記憶領域２２５に記憶される。その後、画像データが記憶されたスキャンデータ記憶領域２２５のＵＲＬが、サービスサーバ５０に送信される。サービスサーバ５０は、受信したＵＲＬに対するダウンロードの要求をセンターサーバ２に送信する。ダウンロードの要求を受信したセンターサーバ２は、矢印１９に示すように、画像データを要求元のサービスサーバ５０へ送信する。従って、サービスサーバ５０は、送信された画像データを受信することにより、センターサーバ２から画像データをダウンロードできる。これによって、スキャナ装置７で読み取られた画像データが、サービスサーバ５０に取得される。これにより、画像データは、ネットワークサービス５を用いて利用可能になる。
【００２７】
なお、ネットワークサービス５にストレージサーバ５１又はストレージサーバ５２が備えられている場合、サービスサーバ５０は、センターサーバ２からダウンロードした画像データを、ストレージサーバ５１又はストレージサーバ５２へ送信しても良い。また、ストレージサーバ５２が、センターサーバ２から画像データをダウンロードしても良い。ダウンロードされる画像データは、ネットワークサービス５にログインしているユーザＩＤを用いてアクセス可能な所定の記憶領域へ記憶される。
【００２８】
操作装置３は、ネットワークサービス５を用いて利用可能になった画像データを、例えば、操作装置３のＷｅｂブラウザを用いて、サービスサーバ５０へ要求する。サービスサーバ５０は画像データの要求を受信すると、Ｗｅｂページを送信する。操作装置３は、受信したＷｅｂページに記載された情報に基づいて、サービスサーバ５０又はストレージサーバ５１又はストレージサーバ５２にアクセスし、画像データを取得する。
［３．第２の読取動作の概要］
図２を参照して、ネットワークシステム１の第２の読取動作を説明する。図４に示すようにスキャナ装置７は表示部８１を備えている。なお、表示部８１は、タッチパネルを備える。従って、ユーザは、表示部８１のタッチパネルを操作して、スキャナ装置７により読み取られた画像データがアップロードされるサービスサーバ４０またはサービスサーバ４０のストレージサーバを指定する。スキャナ装置７はネットワーク６を介して、読み取った画像データをサービスサーバ４０またはサービスサーバ４０のストレージサーバにアップロードする。なお、「第２の読取」により、画像データが、サービスサーバ４０またはサービスサーバ４０のストレージサーバへアップロードされる際に、センターサーバ２が経由されてアップロードされても良いし、センターサーバ２が経由されずにアップロードされても良い。尚、サービスサーバ５０に対しても第２の読取動作は上記同様に実行される。
【００２９】
［４．センターサーバ２の電気的構成］
図３を参照して、本実施形態のセンターサーバ２の電気的構成について説明する。センターサーバ２は、ＣＰＵ２１、ＨＤＤ２２、ＲＡＭ２３、及び通信部２４を備えている。ＨＤＤ２２、ＲＡＭ２３、及び通信部２４は、夫々ＣＰＵ２１に電気的に接続されている。ＣＰＵ２１は、センターサーバ２を制御するコンピュータとして機能する。
【００３０】
ＨＤＤ２２は、プログラム記憶領域２２１、スキャナデータテーブル記憶領域２２２、サービス管理テーブル記憶領域２２４、スキャンデータ記憶領域２２５、セッション情報記憶領域２２６、Ｗｅｂページ記憶領域２２７、利用可能スキャナ一覧記憶領域２２８、及び、ユーザテーブル記憶領域２２９を含む。
【００３１】
プログラム記憶領域２２１は、図１０に示すセンターサーバ２のログイン処理のプログラム、図１２に示すセンターサーバ２のユーザ判定処理のプログラム、図１３に示すセンターサーバ２の利用可能なスキャナ装置のソート処理のプログラム、図１５に示すセンターサーバ２のメイン処理のプログラム等を記憶する。なお、プログラムは、例えば、ネットワーク６上の所定のサーバからダウンロードされるようにしてもよい。また、ＣＤ−ＲＯＭ等の記録媒体に記録されてドライブを介して読み込まれるようにしても良い。なお、プログラムは、例えば、ネットワーク上の所定のサーバからダウンロードされて、ＨＤＤ２２に記憶されてもよい。ＨＤＤ２２の代わりにフラッシュメモリー、ＲＯＭ、ＲＡＭ等のいずれかが用いられてもよい。ＨＤＤ２２の代わりに種々のメモリを用いることができる。ＨＤＤ２２として、コンピュータが読み取り可能な媒体であれば良い。また、ＨＤＤ２２として、コンピュータが読み取り可能な記録媒体であれば良い。なお、コンピュータが読み取り可能な記録媒体は、一時的に伝送される信号を含まなくても良い。
【００３２】
スキャナデータテーブル記憶領域２２２は、図６に示す後述するスキャナデータテーブル８２を記憶する。サービス管理テーブル記憶領域２２４は、図７に示す後述するサービス管理データテーブル８４を記憶する。スキャンデータ記憶領域２２５は、スキャナ装置７によって読み取られ、送信されてきた画像データを記憶する。
【００３３】
セッション情報記憶領域２２６は、セッション情報を記憶する。具体的には、セッション情報は、センターサーバ２とスキャナ装置７とのセッションに関する情報である。セッション情報は、スキャナ装置７以外のネットワーク６に接続可能な装置とセンターサーバ２とのセッションに関する情報であっても良い。センターサーバ２が、スキャナ装置７に関するセッション情報を記憶することで、センターサーバ２はスキャナ装置７へ読取指示を送信することができる。また、セッション情報が記憶されることで、センターサーバ２とスキャナ装置７との間で情報の送受信が可能になる。Ｗｅｂページ記憶領域２２７は、後述する図１５のＳ８６の処理で作成されたＷｅｂページを記憶する、また、利用可能スキャナ一覧記憶領域２２８には、後述する図１４に示す利用可能スキャナ一覧データ８６が記憶される。また、ユーザテーブル記憶領域２２９には、センターサーバ２を利用するユーザのユーザＩＤ及びパスワード対応させた一覧データであるユーザテーブルが記憶される。
【００３４】
ＲＡＭ２３は、センターサーバ２が一時的に利用する情報を一時記憶する。通信部２４は、図１のネットワーク６に接続される。ＣＰＵ２１は、通信部２４とネットワーク６とを介して、操作装置３、ネットワークサービス４、ネットワークサービス５、及びスキャナ装置７と通信を行う。
【００３５】
［５．スキャナ装置７の電気的構成］
図４を参照して、スキャナ装置７の電気的構成について説明する。スキャナ装置７は、ＣＰＵ７５、ＨＤＤ７６、ＲＡＭ７７、通信部７８、読取ユニット７９、検出部８０及び表示部８１を備えている。ＨＤＤ７６、ＲＡＭ７７、通信部７８、読取ユニット７９、検出部８０及び表示部８１は、夫々ＣＰＵ７５に電気的に接続される。ＣＰＵ７５は、スキャナ装置７を制御するコンピュータとして機能する。
【００３６】
ＨＤＤ７６は、プログラム記憶領域７６１、スキャンデータ記憶領域７６２、セッション情報記憶領域７６３及びｔｏｋｅｎ記憶領域７６４を含む。プログラム記憶領域７６１は、スキャナ装置７のメイン処理のプログラム等を記憶する。なお、プログラムは、例えば、ネットワーク６上の所定のサーバからダウンロードされるようにしてもよい。また、ＣＤ−ＲＯＭ等の記録媒体に記録されてドライブを介して読み込まれるようにしても良い。スキャンデータ記憶領域７６２は、読取ユニット７９により読み取られた画像データを記憶する。なお、プログラムは、例えば、ネットワーク上の所定のサーバからダウンロードされて、ＨＤＤ７６に記憶されてもよい。ＨＤＤ７６の代わりにフラッシュメモリー、ＲＯＭ、ＲＡＭ等のいずれかが用いられてもよい。ＨＤＤ７６の代わりに種々のメモリを用いることができる。ＨＤＤ７６として、コンピュータが読み取り可能な媒体であれば良い。また、ＨＤＤ７６として、コンピュータが読み取り可能な記録媒体であれば良い。なお、コンピュータが読み取り可能な記録媒体は、一時的に伝送される信号を含まなくても良い。
【００３７】
セッション情報記憶領域７６３は、センターサーバ２とスキャナ装置７とのセッション情報を記憶する。ｔｏｋｅｎ記憶領域７６４は、センターサーバ２から送信されたｔｏｋｅｎを記憶する。本実施形態では、スキャナ装置７又はセンターサーバ２が定期的にセッションの確認を行うことで、セッション情報が、セッション情報記憶領域７６３に記憶される。スキャナ装置７がセッション情報を記憶することで、スキャナ装置７は、センターサーバ２から送信された種々の情報を受信することができる。ｔｏｋｅｎ記憶領域７６４は、センターサーバ２から受信したｔｏｋｅｎを記憶する。
【００３８】
ＲＡＭ７７は、スキャナ装置７が一時的に利用する情報を一時記憶する。通信部７８は、図１のネットワーク６に接続されている。ＣＰＵ７５は、通信部７８とネットワーク６とを介して、センターサーバ２と通信を行う。通信部７８は、Ｗｉ−Ｆｉ規格による無線ＬＡＮ及び有線ＬＡＮによる通信が可能である。尚、操作装置３もＷｉ−Ｆｉ規格による無線ＬＡＮ及び有線ＬＡＮによる通信が可能である。なお、Ｗｉ−Ｆｉ規格以外の無線通信が用いられても良い。
【００３９】
読取ユニット７９は、スキャナ装置７にセットされた原稿８９を読み取るための構成である。具体的には、読取ユニット７９は、搬送ローラ、画像読取センサ等を備えている。画像読取センサは、ＣＩＳ（Ｃｏｎｔａｃｔ  Ｉｍａｇｅ  Ｓｅｎｓｏｒ）又はＣＣＤ（Ｃａｒｇｅ  Ｃｏｕｐｌｅｄ  Ｄｖｉｃｅｓ）等の撮像素子である。画像データを読み取る機能を備えた読取ユニット７９が駆動されることで、原稿８９から画像データが取得される。検出部８０は、スキャナ装置７に配置される原稿８９の有無と、配置された原稿８９の枚数とを検出する。検出部８０は、例えば、図示外のＡＤＦ（Ａｕｔｏ  ｄｏｃｕｍｅｎｔ  ｆｅｅｄｅｒ）に配置された原稿８９の有無と枚数とを検出してもよい。また、検出部８０は、画像読取ユニットの上側に設けられた、原稿が配置される読取面を覆う蓋（例えば、開閉可能なＡＤＦのユニット等）が開閉されたされたことを検出し、原稿８９の有無を検出してもよい。表示部８１は、ＬＣＤ又は有機ＥＬにより構成され画像または文字を表示する。また、表示部８１は、図示外のセンサとして、タッチパネルを備えており、タッチパネルが操作されることにより各種の命令が入力できる。
【００４０】
［６．操作装置３の電気的構成］
図５を参照して、操作装置３の電気的構成について説明する。操作装置３は、一例として、スマートフォンやタブレット端末である。操作装置３は、ＣＰＵ３１、ＲＡＭ３２、Ｗｉ−Ｆｉ通信部３３、３Ｇ／４Ｇ通信部３４、Ｂｌｕｅｔｏｏｔｈ（登録商標）通信部３５、表示部３６、及びＥＥＰ−ＲＯＭ３９を備えている。ＲＡＭ３２、ＥＥＰ−ＲＯＭ３９、Ｗｉ−Ｆｉ通信部３３、３Ｇ／４Ｇ通信部３４、Ｂｌｕｅｔｏｏｔｈ（登録商標）通信部３５、表示部３６、及びＥＰ−ＲＯＭ３９は、夫々ＣＰＵ３１に電気的に接続される。ＣＰＵ３１は、操作装置３を制御するコンピュータとして機能する。Ｗｉ−Ｆｉ通信部３３は、Ｗｉ−Ｆｉ規格による無線ＬＡＮによる通信を行う。なお、Ｗｉ−Ｆｉ通信部３３の代わりに、Ｗｉ−Ｆｉ規格以外の無線通信により通信可能な無線通信部が用いられても良い。３Ｇ／４Ｇ通信部３４は、３Ｇ通信網及び４Ｇ通信網の電話回線による通信を行う。Ｂｌｕｅｔｏｏｔｈ（登録商標）通信部３５は、Ｂｌｕｅｔｏｏｔｈ（登録商標）による通信を行う。表示部３６は、ＬＣＤ又は有機ＥＬにより構成され画像または文字を表示する。ＥＥＰ−ＲＯＭ３９には、プログラム記憶領域３９１が設けられている。ＥＥＰ−ＲＯＭ３９は、プログラム記憶領域３９１、読取設定情報記憶領域３９２を含む。プログラム記憶領域３９１は、図９に示す過去の読取の設定情報取得処理のプログラム、図示しない操作装置３の操作処理のプログラム等を記憶する。なお、プログラムは、例えば、ネットワーク６上の所定のサーバからダウンロードされるようにしてもよい。また、ＣＤ−ＲＯＭ等の記録媒体に記録されてドライブを介して読み込まれるようにしても良い。ＥＥＰ−ＲＯＭ３９の代わりにフラッシュメモリー、ＲＯＭ、ＲＡＭ、ＨＤＤ等のいずれかが用いられてもよい。ＥＥＰ−ＲＯＭ３９の代わりに種々のメモリを用いることができる。ＥＥＰ−ＲＯＭ３９として、コンピュータが読み取り可能な媒体であれば良い。また、ＥＥＰ−ＲＯＭ３９として、コンピュータが読み取り可能な記録媒体であれば良い。なお、コンピュータが読み取り可能な記録媒体は、一時的に伝送される信号を含まなくても良い。
【００４１】
図６を参照して、スキャナデータテーブル８２について説明する。図６に示すように、スキャナデータテーブル８２には、機器ＩＤ、ｔｏｋｅｎ、機種、シリアル番号、ＩＰアドレス、利用頻度、及びデフォルト設定が対応付けられている。
【００４２】
前述したように、機器ＩＤは、スキャナ装置７を識別するための情報である。本実施形態では、スキャナ装置７１の機器ＩＤは「Ｐ００１」であるとする。スキャナ装置７２の機器ＩＤは「Ｐ００２」であるとする。スキャナ装置７３の機器ＩＤは「Ｐ００３」であるとする。機器ＩＤ「Ｐ００１」、「Ｐ００２」、及び「Ｐ００３」は、ｔｏｋｅｎ「ＸＸＸＸ」に対応付けられている。すなわち、スキャナ装置７１，７２，７３は、ｔｏｋｅｎ「ＸＸＸＸ」に対応したユーザＩＤを持つユーザが過去に登録したスキャナ装置７である。
【００４３】
機種は、スキャナ装置７の機種を示す情報である。本実施形態では、機器ＩＤ「Ｐ００１」、「Ｐ００２」、「Ｐ００３」に対応付けられた機種は「Ｍ００１」である。後述する機器ＩＤ「Ｐ００４」に対応付けられた機種は「Ｍ００２」である。シリアル番号は、スキャナ装置７に付された一連の製造番号である。また、ＩＰアドレスは、ＴＣＰ／ＩＰプロトコルにおいて、パケットを送受信するスキャナ装置７を判別するための番号である。利用頻度は、過去のスキャナ装置７の利用回数である。また、デフォルト設定は、「１」と記載れたものが優先的に使用されるデフォルトに設定されている。図６に示すスキャナデータテーブル８２では、デフォルトの設定は成されていない。
【００４４】
図７を参照して、サービス管理データテーブル８４について説明する。サービス管理データテーブル８４には、サービス識別情報、ＵＲＬ（Ｕｎｉｆｏｒｍ  Ｒｅｓｏｕｒｃｅ  Ｌｏｃａｔｏｒが対応付けられている。サービス識別情報は、サービスサーバ１０が提供するサービスを識別する情報である。本実施形態では、サービスサーバ５０が提供するサービスのサービス識別情報は「Ｓ００１」であるとする。また、サービスサーバ４０が提供するサービスのサービス識別情報は「Ｓ００２」であるとする。また、他のサービスサーバが提供するサービスのサービス識別情報が「Ｓ００３」、「Ｓ００４」等であるとする。なお、サービスサーバ１０は、スキャン実行ボタンが表示されたＷｅｂページを操作装置３に提供する、例えば、サービスサーバ５０は、スキャン実行ボタンが表示されたＷｅｂページを操作装置３に提供する。スキャン実行ボタンが操作されると、サービス識別情報がサービスサーバ５０からセンターサーバ２に送信され、センターサーバ２に受信される（図２の矢印１４参照）。このため、サービス識別情報は、スキャン実行ボタンが表示されたＷｅｂページの提供元を示す情報でもある。ＵＲＬは、サービスサーバ４０，５０等のネットワーク上の所在を示す情報である。ＵＲＬの代わりにＩＰアドレスが登録されても良い。
【００４５】
［７．ネットワークシステム１の動作］
始めに、図８を参照してネットワークシステム１の事前処理について説明する。ネットワークシステム１では、操作装置３とセンターサーバ２とが連携して事前処理を行う。ネットワークシステム１では、操作装置３のＣＰＵ３１が、センターサーバ２へのユーザＩＤ、パスワード等の送信処理（Ｓ７）、過去読取設定情報取得処理（Ｓ１１）及びスキャナ装置の検索処理（Ｓ１２）を行う。また、センターサーバ２のＣＰＵ２１がセンターサーバのユーザ判定処理（Ｓ１３）及びセンターサーバの利用可能なスキャナ装置のソート処理（Ｓ１４）を行う。
【００４６】
［７−１．操作装置３及びセンターサーバ２の動作］
次に、操作装置３及びセンターサーバ２の動作について図８から図１３を参照して説明する。なお、図８の事前処理は、プログラム記憶領域２２１に記憶されたプログラムに従ったアプリケーションの起動指示が、操作装置３により受け付けられたことに基づいて開始される。始めに、ＣＰＵ３１は、アプリケーションが起動されたか否かを判定する（Ｓ５）。具体的には、操作装置３においてアプリケーションを起動するために表示部３６に表示された何れかのアイコンが、操作装置３により操作されたか否かが判定される。操作装置３のＣＰＵ３１が表示部３６に表示された何れかのアイコンが操作されたと判定した場合、アプリケーションが起動されたと判定される（Ｓ５：ＹＥＳ）。そして、ＣＰＵ３１は、操作されたアイコンに関連付けられたアプリケーションを起動する。操作装置３のＣＰＵ３１が表示部３６に表示された何れかのアイコンが操作されたと判定されなかった場合（ステップＳ５：ＮＯ）、ＣＰＵ３１は、アプリケーションが起動されなかったと判定する（Ｓ５：ＮＯ）。そして、ＣＰＵ３１は、センターサーバ２へユーザＩＤ、パスワード及びアプリケーションが使用するサービス識別情報等を送信する（Ｓ７）。そして、センターサーバ２はログイン処理を実行する。アイコンが操作されたことを検出しない場合には、アプリケーションは起動せず（Ｓ５：ＮＯ）、ＣＰＵ３１はＳ５の判断処理に戻り待機する。
【００４７】
一方、センターサーバ２では、ＣＰＵ２１は、操作装置３から送信されたユーザＩＤ、パスワード及びアプリケーションが使用するサービス識別情報等を受信したか否かを判定する（ステップＳ１０１）。ＣＰＵ２１が、操作装置３からのユーザＩＤ、パスワード及びアプリケーションが使用するサービス識別情報等を受信すると（Ｓ１０１：ＹＥＳ）、ステップＳ１０２を実行する。センターサーバ２のＣＰＵ２１は、Ｓ７で送信されたユーザＩＤ、パスワード及びアプリケーションが使用するサービス識別情報等を受信すると（Ｓ１０１：ＹＥＳ）、正規ユーザか否かを判断する（Ｓ１０２）。具体的には、ＣＰＵ２１は、ＨＤＤ２２のユーザテーブル記憶領域２２９に記憶した図示しないユーザテーブルを参照して正規ユーザか否かを判断する。Ｓ１０２では、ユーザテーブルにはユーザＩＤとパスワードとが対応付けられて登録されており、ＣＰＵ２１は、Ｓ１０１の処理で受信したユーザＩＤ及びパスワードが一致するか否かで判断する。ＣＰＵ２１が、ユーザＩＤとパスワードとが一致すると判定した場合に、ＣＰＵ２１は、正規ユーザであると判断する（Ｓ１０２：ＹＥＳ）。正規ユーザであると判段された場合（Ｓ１０２：ＹＥＳ）、ＣＰＵ２１は、過去に設定した読取の設定情報を操作装置３に送信する（Ｓ１０３）。尚、正規ユーザであると判段されなかった場合は（Ｓ１０２：ＮＯ）、ＣＰＵ２１は、センターサーバのログイン処理を終了する。
【００４８】
次いで、図８に示すように、操作装置３のＣＰＵ３１が過去の読取の設定情報取得処理（Ｓ１１）を行う。図９を参照して、過去の読取の設定情報取得処理を説明する。操作装置３のＣＰＵ３１は、センターサーバ２から過去の読取の設定情報を受信したか否かを判定する。ＣＰＵ３１は、センターサーバ２から過去の読取の設定情報を受信したと判定すると（Ｓ２１：ＹＥＳ）、受信した設定情報をＲＡＭ３２に設定情報として記憶する（Ｓ２２）。設定情報には、取得する画像の解像度、色、サイズ等を含む。次いで、操作装置３のＣＰＵ３１は、受信した設定情報に基づき、取得する画像の解像度、色、サイズ等の各パラメータの設定を行う（Ｓ２３）。
【００４９】
次いで、操作装置３のＣＰＵ３１は、スキャナ装置７の検索処理を行う（Ｓ１２）。スキャナ装置７の検索処理の詳細は、図１１のフローチャートを参照して説明する。ＴＣＰ／ＩＰプロトコルを使用して通信を行う為には、相手のＭＡＣアドレスを利用するため、必ず、相手方のＭＡＣアドレスを知る必要がある。従って、操作装置３のＣＰＵ３１は、通信部３３を制御しＷｉ−Ｆｉ通信可能領域内にＢｒｏａｄｃａｓｔ通信を行う（Ｓ３１）。具体的には、Ｓ３１では、ＣＰＵ３１は、Ｗｉ−Ｆｉ通信部３３から無線ルータ８のＷｉ−Ｆｉ通信ネットワークに接続している全てのスキャナ装置７に対して、ＩＰアドレスを尋ねるＢｒｏａｄｃａｓｔ通信を行う。次いで、ＣＰＵ３１は、ＩＰアドレスを返信して来たスキャナ装置７に対して、現在、操作装置３で起動しているアプリケーションにて利用可能なスキャナ装置であるかを確認するデータを送信する（Ｓ３２）。具体的には、Ｓ３２では、ＣＰＵ３１は、ＲＡＭ３２に設定情報として記憶した取得する画像の解像度、色、サイズ等の各パラメータを備えていて利用可能かを問い合わせるデータを送信する。
【００５０】
次いで、ＣＰＵ３１は、スキャナ装置７から利用可能信号を受信したか否かを判定する（Ｓ３３）。ＣＰＵ３１は、スキャナ装置７から利用可能信号を受信したと判定した場合には（Ｓ３３：ＹＥＳ）、Ｗｉ−Ｆｉ利用可能なスキャナ装置７のリストを作成する（Ｓ３４）。利用可能信号には、スキャナ装置７のシリアル番号とＩＰアドレスとを少なくとも含む。例えば、スキャナ装置７１，７２，７３，７４から利用可能信号を受信した場合には（Ｓ３３：ＹＥＳ）、ＣＰＵ３１は、Ｗｉ−Ｆｉ利用可能なスキャナ装置の一覧データを作成する（Ｓ３４）。一覧データは、各スキャナ装置７１，７２，７３，７４のシリアル番号とＩＰアドレスとを少なくとも含む。次いで、ＣＰＵ３１は、一覧データをセンターサーバ２に送信する（Ｓ３５）。尚、ＣＰＵ３１は、所定時間経過してもスキャナ装置７から利用可能信号を受信しないと判定した場合には（Ｓ３３：ＮＯ）、スキャナ装置の検索処理を終了する。
【００５１】
［７−２．センターサーバ２の動作］
次いで、センターサーバ２のユーザ判定処理（Ｓ１３）について、図１２のフローチャートを参照して説明する。センターサーバ２のユーザ判定処理は、ＣＰＵ２１が操作装置３から送信されたＷｉ−Ｆｉ利用可能なスキャナ装置の一覧データを受信すると、実行される。具体的には、ユーザ判定処理では、ＣＰＵ２１は、操作装置３から送信されたＷｉ−Ｆｉ利用可能なスキャナ装置の一覧データを受信したか否かを判断する（Ｓ４１）。ＣＰＵ２１は、スキャナ装置の一覧データを受信したと判定した場合には（Ｓ４１：ＹＥＳ）、センターサーバ２のユーザ判定処理の一連の処理を行う。先ず、ＣＰＵ２１は、受信した一覧データに登録されたスキャナ装置の中で、センターサーバ２にログオンしているユーザで使用可能なスキャナ装置があるか否かを判断する（Ｓ４２）。
【００５２】
Ｓ４２の判断は以下のように行われる。Ｓ４１の処理で受信したスキャナ装置の一覧データに記載のスキャナ装置が、図６に示すスキャナデータテーブル８２にユーザが使用可能として登録されている場合には、ＣＰＵ２１は、使用可能なスキャナ装置が有りと判断する（Ｓ４２：ＹＥＳ）。具体的には、一覧データに記載のスキャナ装置のシリアル番号が、センターサーバ２にログオンしているユーザＩＤのｔｏｋｅｎに対応してスキャナデータテーブル８２に登録されている場合である。また、一覧データに記載のスキャナ装置のシリアル番号が、センターサーバ２にログオンしているユーザＩＤのｔｏｋｅｎに対応してスキャナデータテーブル８２に登録されていないが、一覧データに記載のスキャナ装置７に、他のユーザに使用させない設定が登録されていない場合には、ＣＰＵ２１は、使用可能なスキャナ装置が有りと判断する（Ｓ４２：ＹＥＳ）。
【００５３】
受信した一覧データに登録されるスキャナ装置が、図６に示すスキャナデータテーブル８２にユーザが使用可能として登録されておらず、且つ、他のユーザに使用させない設定が登録されている場合には、ＣＰＵ２１は、使用可能なスキャナ装置が無いと判断する（Ｓ４２：ＮＯ）。次いで、ＣＰＵ２１は、センターサーバ２のユーザ判定処理を終了する。尚、スキャナ装置７を他のユーザに使用させない設定は、センターサーバ２のＨＤＤ２２の図示外の記憶領域に記憶されるか、又は、スキャナ装置７のＨＤＤ７６の図示外の記憶領域に記憶されていればよい。
【００５４】
ＣＰＵ２１が、利用可能なスキャナ装置が有りと判断した場合には（Ｓ４２：ＹＥＳ）、ＣＰＵ２１は、受信した一覧データ８５に存在するスキャナ装置７が図６に示すスキャナデータテーブル８２に登録されているか否かを判定する（Ｓ４３）。具体的には、Ｓ４３では、ＣＰＵ２１は、センターサーバ２にログオンしているユーザＩＤに対応したｔｏｋｅｎとシリアル番号とがスキャナデータテーブル８２に登録されているか否かで判断する。本実施形態の受信した一覧データの例では、ＣＰＵ２１は、シリアル番号１２３００１，１２３００２，１２３００３のスキャナ装置７１，７２，７３が、図６に示すスキャナデータテーブル８２に登録されていると判断する（Ｓ４３：ＹＥＳ）。ＣＰＵ２１は、すでに、スキャナデータテーブル８２にスキャナ装置７が登録されていると判断した場合には（Ｓ４３：ＹＥＳ）、次いで、ＣＰＵ２１は、スキャナデータテーブル８２にスキャナ装置７が複数登録されているか否かを判断する（Ｓ４５）。ＣＰＵ２１は、スキャナデータテーブル８２にスキャナ装置７が複数登録されていると判断した場合には（Ｓ４５：ＹＥＳ）、ＣＰＵ２１は、利用頻度の高い順に並べたデータを作成する。（Ｓ４６）。例えば、スキャナデータテーブル８２では、機器ＩＤがＰ００３のスキャナ装置７が利用頻度５で最も高く、機器ＩＤがＰ００２のスキャナ装置７が利用頻度２で二番目に高く、機器ＩＤがＰ００１のスキャナ装置７が利用頻度１で三番目である。従って、Ｓ４６では、図１４に示すように、機器ＩＤがＰ００３のスキャナ装置７、機器ＩＤがＰ００２のスキャナ装置７、機器ＩＤがＰ００１のスキャナ装置７の順に並んだ、利用可能スキャナ一覧データ８６が作成される。
【００５５】
次いで、ＣＰＵ２１は、正規ユーザ権限で利用可能なスキャナ装置には、第１の読取及び第２の読取の許可を設定する（Ｓ４７）。具体的には、一例として、ＣＰＵ２１は、図１４に示す利用可能スキャナ一覧データ８６の読取許可欄に「２」を記憶する（Ｓ４７）。読取許可欄の「２」は、第１の読取動作と第２の読取動作の両方が許可されていることを示す。読取許可欄の「１」は、第１の読取動作のみが許可されていることを示す。また、ＣＰＵ２１が、操作装置３から受信した一覧データに存在するスキャナ装置が図６に示すスキャナデータテーブル８２に登録されていないと判定した場合には（Ｓ４３：ＮＯ）、ＣＰＵ２１は、ゲストユーザ権限で利用可能なスキャナ装置には、第１の読取を許可する（Ｓ４８）。具体的には、Ｓ４８では、ＣＰＵ２１は、図１４に示す利用可能スキャナ一覧データ８６の読取許可欄に「１」を記憶する。図１４に示す例では、シリアル番号２３４００１のスキャナ装置７４がスキャナデータテーブル８２に登録されているので、ＣＰＵ２１は、シリアル番号２３４００１のスキャナ装置７４をゲストユーザ権限で利用可能なスキャナ装置として、第１の読取を許可する。
【００５６】
次に、センターサーバ２の利用可能なスキャナ装置７のソート処理（Ｓ１４）について図１３に示すフローチャートを参照して説明する。ソート処理は、図１２に示すセンターサーバ２のユーザ判断処理（Ｓ１３）に続いて、センターサーバ２のＣＰＵ２１が行う。ＣＰＵ２１は、Ｓ４１で受信した一覧データに存在するスキャナ装置７が正規ユーザ権限で利用可能であるか否かを判断する（Ｓ５１）。この判断は、図１２に示すセンターサーバのユーザ判断処理のＳ４３の処理と同様に、ＣＰＵ２１は、受信した一覧データ８５に存在するスキャナ装置７が、図６に示すスキャナデータテーブル８２に登録されているか否かを、センターサーバ２にログオンしているユーザのユーザＩＤに対応したｔｏｋｅｎとシリアル番号とがスキャナデータテーブル８２に登録されているか否かで判断する（Ｓ４３）。
【００５７】
ＣＰＵ２１は、センターサーバ２にログオンしているユーザのユーザＩＤに対応したｔｏｋｅｎとシリアル番号とがスキャナデータテーブル８２に登録され、正規ユーザ権限で利用可能であると判断した場合には（Ｓ５１：ＹＥＳ）、ＣＰＵ２１は、デフォルト利用として設定されたスキャナ装置があるか否かを判断する（Ｓ５２）。Ｓ５２では、図６に示すスキャナデータテーブル８２のデフォルト欄に１が記載されていれば、ＣＰＵ２１は、デフォルト欄に１が記載された装置がデフォルトに設定されていると判断する（Ｓ５２：ＹＥＳ）。本実施の形態では、図６に示すスキャナデータテーブル８２のように予めデフォルト設定は成されていない。デフォルト利用として設定されたスキャナ装置があると判断されなかった場合（Ｓ５２：ＮＯ）、ＣＰＵ２１は、利用頻度の高い順に正規ユーザ権限で利用可能であるスキャナ装置をソートする（Ｓ５３）。利用頻度は、スキャナデータテーブル８２の利用頻度の欄の数で判断される。一例として、図６に示すように、機器ＩＤＰ００３，Ｐ００２，Ｐ００１の順にソートされる。
【００５８】
その後、ＣＰＵ２１は、利用頻度が最も高いスキャナ装置をデフォルトに設定する（Ｓ５４）。具体的には、ＣＰＵ２１は、図１４に示す利用可能スキャナ一覧データ８６のデフォルト欄にデフォルトであることを示すフラグ「１」を設定する。また、図６に示すスキャナデータテーブル８２のデフォルト欄に１が記載されているデフォルト利用として設定されたスキャナ装置があるとＣＰＵ２１が判断した場合には（Ｓ５２：ＹＥＳ）、ＣＰＵ２１は、設定されているスキャナ装置をデフォルトに設定する（Ｓ５５）。具体的には、ＣＰＵ２１は、その装置に対して、図１４に示す利用可能スキャナ一覧データ８６のデフォルト欄にデフォルトであることを示すフラグ「１」を設定する。
【００５９】
また、ＣＰＵ２１は、スキャナ装置が、正規ユーザ権限で利用可能でないと判断した場合（Ｓ５１：ＮＯ）、ＣＰＵ２１は、正規ユーザ権限で利用可能でないスキャナ装置７の内、ゲストユーザ権限で利用可能なスキャナ装置のソートを行う（Ｓ５６）。ソートの基準は、例えば、スキャナ装置７の検出順や又はスキャナ装置７の機器ＩＤ順である。この場合には、ＣＰＵ２１は、図１４に示すスキャナ装置の一覧データ８５の中で、正規ユーザ権限で利用可能でないスキャナ装置のみを抽出し、ソートする（Ｓ５６）。正規ユーザ権限で利用可能でないスキャナ装置が複数ある場合には、ＣＰＵ２１は、Ｓ５６でのソート順にスキャナ装置を抽出する（Ｓ５７）。図１４の例では、Ｓ４１で受信した一覧データに、正規ユーザ権限で利用可能でないスキャナ装置は、シリアル番号２３４００１のみであるので、ＣＰＵ２１は、シリアル番号２３４００１のスキャナ装置のみを抽出する（Ｓ５７）。
【００６０】
次いで、ＣＰＵ２１は、Ｓ５３でソートした正規ユーザ権限で利用可能なスキャナ装置の一覧データと、Ｓ５７で抽出されたユーザ利用可能でないスキャナ装置の一覧データとを結合する（Ｓ５８）。例えば、Ｓ５８では、ＣＰＵ２１は、Ｓ５３でソートした正規ユーザ権限で利用可能なスキャナ装置の一覧データの下にＳ５７で抽出されたユーザ利用可能でないスキャナ装置の一覧データを結合する。次いで、ＣＰＵ２１は、Ｓ５４及びＳ５６の処理でソートされ優先度判定の完了した利用可能スキャナ一覧データ８６（図１４参照）を作成する（Ｓ５９）。ＣＰＵ２１は、利用可能スキャナ一覧データ８６を、ＨＤＤ２２の利用可能スキャナ一覧記憶領域２２８に記憶する。上記実施の形態では、ＣＰＵ２１は、機器ＩＤがＰ００３、即ち、スキャナ装置７３をデフォルトに設定する。また、ＣＰＵ２１は、機器ＩＤがＰ００３、Ｐ００２、Ｐ００１を、正規ユーザ権限で利用可能なスキャナ装置と判定する。機器ＩＤがＰ００４のスキャナ装置７４は、正規ユーザ権限で利用可能なスキャナ装置でないので、まだ、ｔｏｋｅｎが付与されていない。次いで、ＣＰＵ２１は、作成した利用可能スキャナ一覧データ８６を操作装置３に送信する（Ｓ６０）。
【００６１】
［７−３．センターサーバ２のメイン処理及びスキャナ装置７４での処理］
図１５に示すフローチャート及び図１６のシーケンス図を参照して、センターサーバ２のメイン処理及びスキャナ装置７４での処理について説明する。図１５に示すセンターサーバのメイン処理は、例えば、センターサーバ２の電源がオンされることにより、ＣＰＵ２１により実行される。まず、ＣＰＵ２１は、第１の読取指令を受信したか否かを判定する（Ｓ７１）。ＣＰＵ２１が第１の読取指令を受信したと判定する(Ｓ７１：ＹＥＳ)と、ＣＰＵ２１は、Ｓ７３を実行する。尚、第２の読取指令は、ユーザがスキャナ装置７を操作することにより指定されたサービスサーバ４０またはストレージサーバへ、スキャナ装置７により読み取られた画像データをアップロードする操作である。ＣＰＵ２１は、第２の読取指令を受信した場合、第１の読取指令を受信しなかったと判定する（Ｓ７１：ＮＯ）。ＣＰＵ２１は、第１の読取指令を受信しなかったと判定する（Ｓ７１：ＮＯ）と、ＣＰＵ２１は、Ｓ７１を再度実行する。
【００６２】
第１の読取指令は、操作装置３の表示部３６に表示される図示しないスキャン実行ボタンが操作装置３によって操作されたことに応じて、サービスサーバ１０から送信される（図２の矢印１３及び矢印１４）。第１の読取指令は、例えば、センターサーバ２のスキャン指示ＡＰＩ（Ａｐｐｌｉｃａｔｉｏｎ  Ｐｒｏｇｒａｍ  Ｉｎｔｅｒｆａｃｅ）がコールされることである。第１の読取指令には、スキャン指示ＡＰＩのコールをする指令以外に、機器ＩＤ、サービスを識別するサービス識別情報、サービスの使用者示すユーザ識別情報等を含む。次いで、ＣＰＵ２１は、第１の読取指令に含まれるスキャナ装置７を指定する機器ＩＤから正規ユーザで利用可能なスキャナ装置が選択された否かを判断する（Ｓ７３）。ここでは、ＣＰＵ２１は、一例として「機器ＩＤ：Ｐ００４」のスキャナ装置７４が選択されたことを示す指令を受け付けた場合には、利用可能スキャナ一覧データ８６の「機器ＩＤ：Ｐ００４」に対応するｔｏｋｅｎ欄には、ｔｏｋｅｎが登録されていないため、ＣＰＵ２１は、正規ユーザで利用可能なスキャナ装置が選択されなかったと判定する（Ｓ７３：ＮＯ）。次いで、ＣＰＵ２１は、ゲスト用ＰＩＮを発行する（Ｓ７４）。ゲスト用ＰＩＮは所定数の数字により構成されるコードである。例えば、１命令（１回）のみ有効の短期間有効であり、一例として、６桁の数字列である。次いで、ＣＰＵ２１は、発行されたＰＩＮを指定されたスキャナ装置７４に送信する（Ｓ７５）。
【００６３】
図１６に示すように、スキャナ装置７４は、ゲスト用ＰＩＮを受信すると（Ｓ１１１）、ＣＰＵ７５は、ｔｏｋｅｎ発行依頼をセンターサーバ２に送信する（Ｓ１１２）。センターサーバ２のＣＰＵ２１は、ｔｏｋｅｎ発行依頼を受信したか否かを判定する（Ｓ７６）。センターサーバ２のＣＰＵ２１は、ｔｏｋｅｎ発行依頼を受信すると（Ｓ７６：ＹＥＳ）、スキャナ装置７４をゲスト利用するためのｔｏｋｅｎを発行する（Ｓ７７）。ＣＰＵ２１は、ｔｏｋｅｎ発行依頼を受信したと判定されなかった場合には（Ｓ７６：ＮＯ）、Ｓ７６を再度実行する。ＣＰＵ２１は、発行されたｔｏｋｅｎを、図１４に示す利用可能スキャナ一覧データ８６のスキャナ情報Ｐ００４のｔｏｋｅｎ欄に登録する（Ｓ７７）。一例として、ゲスト利用のｔｏｋｅｎは「ＹＹＹＹ」と表す。ｔｏｋｅｎ「ＹＹＹＹ」は、具体的には所定数の数字の列である。次いで、ＣＰＵ２１は、ｔｏｋｅｎ「ＹＹＹＹ」をスキャナ装置７４に送信する（Ｓ７８）。スキャナ装置７４のＣＰＵ７５は、ｔｏｋｅｎ「ＹＹＹＹ」をＨＤＤ７６のｔｏｋｅｎ記憶領域７６４に登録する（Ｓ１１３）。次いで、センターサーバ２のＣＰＵ２１は、ｔｏｋｅｎ「ＹＹＹＹ」を含む読取指令をスキャナ装置７４に送信する（Ｓ７９）。スキャナ装置７４のＣＰＵ７５は、読取ユニット７９を制御して画像の読み取りを実行する。そして、ＣＰＵ７５は、読取った画像データをｔｏｋｅｎ「ＹＹＹＹ」共に、センターサーバ２に送信する（Ｓ１１４）。次いで、ＣＰＵ７５は、読取完了通知をセンターサーバ２に送信する（Ｓ１１５）。その後、ＣＰＵ７５は、ｔｏｋｅｎ記憶領域７６４に記憶したｔｏｋｅｎを消去して廃棄する（Ｓ１１６）。
【００６４】
センターサーバ２のＣＰＵ２１は、スキャナ装置７４から読取完了通知を受信すると共に（Ｓ８１）、画像データをスキャナ装置７４から受信する（Ｓ８２）。そして、ＣＰＵ２１は、図３に示すＨＤＤ２２のスキャンデータ記憶領域２２５に、受信した画像データを記憶する（Ｓ８３）。次いで、ＣＰＵ２１は、スキャナ装置７４がゲストユーザ権限で利用されたか否かを判定する（Ｓ８４）。具体的には、ＣＰＵ２１は、利用可能スキャナ一覧データ８６のｔｏｋｅｎ欄にゲスト利用のｔｏｋｅｎ「ＹＹＹＹ」が記憶されているか否かを判定する。本実施の形態では、Ｓ７７の処理で、利用可能スキャナ一覧データ８６のｔｏｋｅｎ欄にゲスト利用のｔｏｋｅｎ「ＹＹＹＹ」が記憶されているので、ＣＰＵ２１は、スキャナ装置７４がゲストユーザ権限で利用されたと判定する（Ｓ８４：ＹＥＳ）。次いで、ＣＰＵ２１は、利用可能スキャナ一覧データ８６に記憶したｔｏｋｅｎを消去する（Ｓ８５）。本実施の形態では、ｔｏｋｅｎはゲスト利用の「ＹＹＹＹ」であるので、ＣＰＵ２１は、ｔｏｋｅｎ「ＹＹＹＹ」を消去して廃棄する（Ｓ８５）。
【００６５】
次いで、ＣＰＵ２１は、スキャナ装置７４から受け取った画像データをユーザ指定のサービスにアップロード可能にする（Ｓ８６）。具体的には、ＣＰＵ２１は、画像データが記憶されたスキャンデータ記憶領域２２５のＵＲＬをサービスサーバ１０に送信する。本実施の形態の場合、第１の読取の指示がサービスサーバ５０から送信されているので、ＵＲＬはサービスサーバ５０に送信される。次いで、ＣＰＵ２１は、操作装置３に読取完了通知を送信する（Ｓ８７）。読取完了通知は、スキャナ装置７による画像データの読み取りが終了したことをセンターサーバ２が通知するサービスサーバ１０のＵＲＬを含んでもよい。尚、ＣＰＵ２１は、サービスサーバ５０から送信されたＵＲＬに対するダウンロードの要求を受信することにより、画像データをサービスサーバ５０に送信する。
【００６６】
尚、ＣＰＵ２１が、第１の読取指令が受信されていないと判定した場合（Ｓ７１：ＮＯ）、ＣＰＵ２１は、Ｓ７１を再度実行する。また、スキャナ装置７４が正規ユーザ権限で利用された場合には（Ｓ８４：ＮＯ）、ＣＰＵ２１は、Ｓ８６を実行する。
【００６７】
［８．本実施形態の主たる作用、効果］
以上のように、本実施形態における処理が実行される。本実施形態では、センターサーバ２が記憶するスキャナデータテーブル８２に登録されていないスキャナ装置７を、ゲストユーザ権限で利用することができる。また、スキャナ装置７４をゲストユーザ権限で利用するために発行されたゲスト利用のｔｏｋｅｎ「ＹＹＹＹ」は、画像読取完了後に削除される。このため、ゲストユーザにより継続的にスキャナ装置７が使用可能にならない為にセキュリティを高めることができる。
【００６８】
上記実施形態において、ＨＤＤ２２が記憶手段の一例である。スキャナ装置７１ 、スキャナ装置７２、スキャナ装置７３、 スキャナ装置７４ が画像読取装置の一例である。サービスサーバ１０，４０，５０がサービス提供装置の一例である。操作装置３が操作装置の一例である。センターサーバ２が情報処理装置の一例である。Ｓ７１の判断処理を行うＣＰＵ２１が第１受信手段の一例である。Ｓ７３の判断処理を行うＣＰＵ２１が第１判断手段の一例である。Ｓ７８の処理を行うＣＰＵ２１が第１送信手段の一例である。Ｓ７７の処理を行うＣＰＵ２１が第１制御手段の一例である。Ｓ７９の処理を行うＣＰＵ２１が第２送信手段の一例である。Ｓ８１の処理を行うＣＰＵ２１が第２受信手段の一例である。Ｓ８２の処理を行うＣＰＵ２１が第３受信手段の一例である。Ｓ８３の処理を行うＣＰＵ２１が第２制御手段の一例である。Ｓ８６の処理を行うＣＰＵ２１が第１設定手段の一例である。Ｓ８５の処理を行うＣＰＵ２１が消去手段の一例である。
【００６９】
Ｓ３１、Ｓ３２、及びＳ３３の処理を行うＣＰＵ３１が第２判断手段の一例である。Ｓ５８及びＳ５９の処理を行うＣＰＵ２１が作成手段の一例である。Ｓ６０の処理を行うＣＰＵ２１が第３送信手段の一例である。Ｓ４７及びＳ４８の処理を行うＣＰＵ２１が第２設定手段の一例である。Ｓ７５の処理を行うＣＰＵ２１が第４送信手段の一例である。Ｓ７６の処理を行うＣＰＵ２１が第４受信手段の一例である。
【００７０】
なお、本発明は上記の実施形態に限定されるものではなく、種々の変更が可能である。例えば、Ｗｉ−Ｆｉ通信網に接続しているスキャナ装置７の内、正規ユーザ権限で利用できるものは、３台に限られず、１台、２台、５台等任意の台数でもよい。また、ゲストユーザ権限で利用できるものは、１台に限られず、２台、３台等任意の台数でもよい。また、スキャナ装置の一覧データの結合処理（Ｓ５８）では、Ｓ５３でソートした正規ユーザ権限で利用可能なスキャナ装置の一覧データの上にＳ５７で抽出されたユーザ利用可能でないスキャナ装置の一覧データを結合してもよい（Ｓ５８）。
【符号の説明】
【００７１】
１  ネットワークシステム
２  センターサーバ
３  操作装置
７  スキャナ装置
１０、４０、５０  サービスサーバ
２１  ＣＰＵ
２２  ＨＤＤ
３１  ＣＰＵ
３６  表示部
７１、７２、７３、７４  スキャナ装置
７５  ＣＰＵ
７６  ＨＤＤ
７９  読取ユニット
８１  表示部
【図１】
2014192684.tif 000003
【図２】
2014192684.tif 000004
【図３】
2014192684.tif 000005
【図４】
2014192684.tif 000006
【図５】
2014192684.tif 000007
【図６】
2014192684.tif 000008
【図７】
2014192684.tif 000009
【図８】
2014192684.tif 000010
【図９】
2014192684.tif 000011
【図１０】
2014192684.tif 000012
【図１１】
2014192684.tif 000013
【図１２】
2014192684.tif 000014
【図１３】
2014192684.tif 000015
【図１４】
2014192684.tif 000016
【図１５】
2014192684.tif 000017
【図１６】
2014192684.tif 000018